【事件の表示】
　特許第２８２７５２９号「水性塗布用混合組成物」の請求項１ないし２に係る特許に対する特許異議の申立てについて、次のとおり決定する。
【結論】
　特許第２８２７５２９号の請求項１ないし２に係る特許を維持する。
【理由】
Ｉ．手続の経緯
　本件特許第２８２７５２９号の請求項１、２に係る発明は、平成３年１月２６日に特許出願され、平成１０年９月１８日にその特許権の設定登録がなされ、これに対して、株式会社東芝より特許異議の申立てがなされたものである。
ＩＩ．本件発明
　本件請求項１、２に係る発明は、特許明細書の記載からして、請求項１、２に記載された次の事項によって特定されるものである。
「【請求項１】水に溶解、懸濁して蛍光体塗布液となる水性塗布用組成物において、微粉末状水性バインダ成分と、希土類化合物からなる微粉末状結着剤成分と、蛍光体とが均一に混合されてなることを特徴とする水性塗布用混合組成物。
【請求項２】上記微粉末状水性バインダ成分が主としてポリエチレンオキサイド粒子からなることを特徴とする請求項１項に記載の水性塗布用混合組成物。」
ＩＩＩ．異議申立て理由の概要
１．本件請求項１、２に係る発明は、甲第１、２号証に記載された発明に基いて当業者が容易に発明することができたものであるから、特許法第２９条第２項の違反して特許されたものであり、上記請求項に係る特許は取り消されるべきものである。
２．本件請求項１に係る発明は、特許法第３６条第４項及び第５項に現定する要件を満たしていないため、上記請求項に係る特許は取り消されるべきものである。
ＩＶ．甲各号証及び参考資料に記載の事項
１．甲第１号証：特開平３−４４２１号公報
　甲第１号証は、「蛍光体と水の溶剤、水溶性バインダ、結着剤を含む蛍光体懸濁液に、蛍光体に対して・・・・・を添加混合した蛍光体懸濁液をガラス管の内面に塗布することを特徴とする蛍光体膜の形成方法。」（特許請求の範囲）に関するものであり、「溶剤に水（純水）、ポリエチレンオキサイドなどの水溶性バインダで調合された蛍光体懸濁液をガラス管の内面に塗布し乾燥させて焼成する蛍光体膜の形成方法が、環境汚染の心配がなくて賞用されている。・・・・上記蛍光体懸濁液にその結着強度を高めるアルミナなどの超微粒子の結着剤や・・・を添加している。」（第１頁右欄第１１行〜第２頁左上欄第６行）と記載されている。
　また、実施例には、「白色の４０ワット蛍光ランプの製造において、次の蛍光体懸濁液を用意する。
蛍光体　４５重量％
純水　５５重量％
超微粒子アルミナ　２重量％
　（蛍光体に対する重量％）
ポリエチレンオキサイド　５重量％
　（蛍光体に対する重量％）」（第３頁左上欄第１３〜２０行）と記載されている。
２．甲第２号証：特開昭６３−８１１８９号公報
　甲第２号証は、「水溶性金属塩を蛍光体の結着剤として用いたことを特徴とするランプ用蛍光体塗液」（特許請求の範囲）に関するものであり、「水溶性金属塩は、ランプ諸特性に悪影響を及ぼさない金属塩であり、かつ水溶性であるので、これを従来の微粒子系結着剤の代りとして用い、ほう酸等の水溶性低融点系結着剤とともに水に溶解し、この水溶液と蛍光体とを混合すれば、蛍光体塗液を得ることができる。このため、ボールミル等の粉砕工程は不要となり、塗液に不純物が混入するおそれはなくなる。また、上記蛍光体塗液をガラスバルブ内面に塗着すると、水溶性金属塩は水溶液で用いるため、確実に蛍光体粒子間隙に入り込み、乾燥すると水が蒸発して塩の形で析出する。そして、この塩が、蛍光体層焼付け時に酸化されて安定な金属酸化物となって、蛍光体粒子を確実に結着する。さらに、水溶性金属塩は、多量の結晶水を有するので、焼付け時に酸化されて金属酸化物となり、結晶水はガスとして放出される。このため、焼き付けられた蛍光体層に含まれる結着剤の量が少なくなる。これがランプとしての全光束の向上を可能にする。」（第２頁右下欄第８行〜第３頁左上欄第７行）、「硝酸アルミニウムの他に、臭化アルミニウム等でも同様な効果が得られる。」（第４頁左欄下から２行目〜末行）と記載されている。
３．参考資料：特開平４−１４２３８９号公報
　参考資料は、「放電ランプのガラス管内壁に塗布されるべき蛍光体粒子表面に、蛍光体１００ｇに対して希土類酸化物として０．００１乃至５ｇに相当する希土類化合物が均一に付着してなることを特徴とする蛍光体。」（特許請求の範囲）に関するものであり、「本発明では，希土類化合物として希土類の水溶性塩を用いて溶液添加するので、結着材としてはサブミクロン以下の超微粒子であって蛍光体粒子に十分拡散されるので、蛍光体粒子間或いは・・・・少なくすることができる。」（第４頁右上欄）と記載されている。
Ｖ．対比・判断
１．請求項１に係る発明について
　本件請求項１に係る発明と甲各号証記載の発明を対比すると、甲各号証のいずれにも、結着剤成分として「希土類化合物」を利用することが、記載されておらずそのことを示唆する記載もない。
　つまり、甲第１号証には、結着剤として「超微粒子のアルミナ」が記載されているだけで、希土類化合物を結着剤として利用することは、記載も示唆もない。
　また、甲第２号証には、結着剤として、利用可能な水溶性金属塩として「硝酸アルミニウムの他に、臭化アルミニウム等でも同様の効果が得られる。」と記載されているだけであり、希土類化合物は例示されていない。
　したがって、蛍光体を結着する作用が本件出願時に明らかにされていない希土類化合物を結着剤成分として選択することは、甲第１、２号証の記載を併せて考慮しても、当業者が容易になし得るものではない。
　なお、異議申立人は、希土類化合物の作用・効果に関して参考資料（特開平４−１４２３８９号公報）を提出して、本件請求項１に係る発明の「希土類化合物」が、甲第２号証記載の発明の「水溶性金属塩」の一種にすぎず、実質的に何ら相違ない旨主張しているが、この参考資料は本件出願後に公開されたものであり、特許法第２９条第２項の規定の判断に際して採用することはできない。
　そして、本件請求項１に係る発明は、微粉末状水性バインダ成分と、希土類化合物からなる微粉末状結着剤成分と、蛍光体とが均一に混合した水性塗布用混合組成物を純水に溶解するだけで即座に蛍光体塗布液を調製できるという効果を奏するものである。
　よって、本件請求項１に係る発明が、甲第１、２号証に記載された発明に基づき当業者が容易に発明することができたとされるものではない。
２．請求項２に係る発明について
　本件請求項２に係る発明は、本件請求項１に係る発明の「微粉末状水性バインダ成分」を「主としてポリエチレンオキシド粒子からなる」と限定するものであり、本件請求項１に係る発明が、甲第１、２号証に記載された発明に基づき当業者が容易に発明することができたとされるものではないことから、本件請求項２に係る発明も甲第１、２号証に記載された発明に基づき当業者が容易に発明することができたとされるものではない
ＶＩ．特許法第３６条違反について
　異議申立人は、本件請求項１には微粉末状と記載されているにもかかわらず、本件明細書には微粉末の定義、また具体的な粒径が一切記載されていないので、本件請求項１および本件明細書の記載は不明りょうである旨主張している。
　この点について、以下検討する。
　本件明細書には、「一般に、放電ランプの蛍光膜形成工程においては、・・・数時間混合しなければらなない。」（第２欄第７〜１０行）、「本発明の目的は、微粉末状水性バインダ成分と、希土類化合物からなる微粉末状結着剤成分と、蛍光体粒子とが均一に混合されてなることを特徴とする水性塗布用混合組成物により、解決される。」（第３欄第２５〜２８行）、「このようにして得られた蛍光体塗布液を使用して４０ＷＳＳ直管を作製したところ、本件実施例の水性塗布用混合組成物と同様な蛍光体、結着剤及びバインダから攪拌しながら作製した従来のものと同様なきれいな蛍光膜が得られ、膜強度は従来と同等であった。」（第４欄第２４〜２８行）、「本発明によれば、・・・即座に蛍光体塗布液を調製できる。」（第４欄第４８行〜第６欄第１行）と記載されている。
　以上によれば、本件請求項１に係る発明の混合組成物から得られる塗布液は、微粉末状水性バインダ成分と、希土類化合物からなる微粉末状結着剤成分と、蛍光体とが均一に混合されてなる蛍光体塗布液であること、この蛍光体塗布液を塗布して得られる製品は、従来と同程度の性能を有していること、即座に蛍光体塗布液を調製できるものであることが認められる。
　ところで、従来から蛍光塗布液を調製する際に、成分となる蛍光体、結着剤等を微粉末にすることはよく知られており、その目的とするところは、蛍光体粒子を微粉末状の結着剤等で被覆することにより、蛍光体粒子間を結着させ、あるいは蛍光体粒子をガラス管内壁に付着させることである。
　そうすると、本件発明においても、上記目的を達成するために、通常使用されている微粒子状の結着剤等が添加されているものと解するのが自然であるので、本件明細書には、異議申立人が指摘するような明細書の記載不備はないというべきである。
　したがって、本件明細書の記載が不明りょうであるので、特許法第３６条に規定する要件を満たしていないとすることはできない。
ＶＩＩ．むすび
　以上のとおりであるので、異議申立ての理由及び証拠方法によっては、本件請求項１、２に係る発明の特許を取り消すことはできない。
　また、他に本件請求項１、２に係る発明の特許を取り消すべき理由を見いだせない。
　よって、結論のとおり決定する。
【異議決定日】
平成１１年８月２０日（１９９９．８．２０）